(57)【要約】【課題】簡単な手段によって伝動歯車群の長い寿命を補償することができる遊星歯車式変速装置を得る。【解決手段】変速装置ハウジング４と、変速装置ハウジング４内に少なくとも部分的に収納した少なくとも１個の遊星歯車段１２，１４を有する伝動歯車群６と、変速装置ハウジング４と伝動歯車群６との間に配置した中空歯車１６であって、変速装置ハウジング４に対して少なくとも２個の切り替え段間で切り替わるために軸線方向に移動自在の中空歯車１６とを具えた、とくに、手工具装置に使用される遊星歯車式変速装置７において、変速装置ハウジング４の内面２８に好適には、リブとして一体に形成した少なくとも２個の支持素子３０を設け、これら支持素子３０に中空歯車１６を接触させる。好適には、少なくとも３個のリブを、等角度間隔αに周方向に配列する。【選択図】図１
2005254445.tif 000002
【特許請求の範囲】
【請求項１】
変速装置ハウジング（４）と、この変速装置ハウジング（４）内に少なくとも部分的に収納した少なくとも１個の遊星歯車段（１２，１４）を有する伝動歯車群（６）と、前記変速装置ハウジング（４）と伝動歯車群（６）との間に配置した中空歯車（１６）であって、前記変速装置ハウジング（４）に対して少なくとも２個の切替段間で切り替わるために軸線方向に移動自在の中空歯車（１６）とを具えた、とくに、手工具装置に使用される遊星歯車式変速装置（７）において、変速装置ハウジング（４）の内面（２８）に少なくとも２個の支持素子（３０）を設け、これら支持素子（３０）に前記中空歯車（１６）を接触させたことを特徴とする遊星歯車式変速装置。
【請求項２】
２個の他の遊星歯車段間に配置した中間遊星歯車段（１２）を前記支持素子（３０）によって支持した請求項１記載の遊星歯車式変速装置。
【請求項３】
前記支持素子（３０）を、変速装置ハウジング（４）の内面（２８）から突出するリブとして形成した請求項１または２記載の遊星歯車式変速装置。
【請求項４】
少なくとも３個のリブを設けた請求項３記載の遊星歯車式変速装置。
【請求項５】
少なくとも３個のリブを、等角度間隔（α）に配列した請求項４記載の遊星歯車式変速装置。
【発明の詳細な説明】
【技術分野】
【０００１】
本発明は、変速装置ハウジングと、この変速装置ハウジング内に少なくとも部分的に収納した少なくとも１個の遊星歯車段を有する伝動歯車群と、前記変速装置ハウジングと伝動歯車群との間に配置した中空歯車であって、前記変速装置ハウジングに対して少なくとも２個の切り替え段間で切り替わるために軸線方向に移動自在の中空歯車とを具えた、とくに、ドリル装置またはねじ回し装置のような手工具装置に使用される遊星歯車式変速装置に関するものである。
【背景技術】
【０００２】
このようなギヤ切り替え可能な遊星歯車式変速装置はよく知られており、末端出力側の回転モーメントを手工具装置の作動条件に適合させることができる。
【０００３】
ギヤ切り替えのため、中空歯車をスライドスイッチ（切り替え装置）によって軸線方向に移動自在にした電動手工具装置の遊星歯車式変速装置が知られている。（例えば、特許文献１参照。）この軸線方向移動のため、スライドスイッチを中空歯車に対してワイヤ製の掛け金によって掛合させ、この掛け金は、変速装置ハウジングの適合する貫通孔に挿通する。この場合、中空セグメントの掛合を阻止するため、中空歯車をワイヤ製の掛け金によって変速装置ハウジングに対して中心位置に保持している。
【特許文献１】独国特許第１９９０２１８７号明細書
【０００４】
ワイヤ製の掛け金により中空歯車を心決めすることによって、伝動歯車群を有する手工具装置を切り替える際に、中空歯車の偏りを回避し、これにより、磨耗及び振動の発生を回避することができる。
【発明の開示】
【発明が解決しようとする課題】
【０００５】
しかし、この既知の遊星歯車式変速装置は、ワイヤ製の掛け金の製造ならびに組立に費用がかかるという件がある。さらに、ワイヤ製の掛け金は、操作や組み付けの際に曲がり易く、この結果、中空歯車が傾動し、もしくは手工具装置の切り替え状態で、ワイヤ製掛け金があるにもかかわらず、伝動歯車群が偏りを生じ、このため、手工具装置を始動させる際に振動と高い磨耗を引き起こす。
【０００６】
したがって、本発明の目的は、従来の装置の欠点を回避し、簡単な手段によって伝動歯車群の長い寿命を補償することができる遊星歯車式変速装置を得るにある。
【課題を解決するための手段】
【０００７】
この目的を達成するため、本発明遊星歯車式変速装置は、変速装置ハウジングの内面に少なくとも２個の支持素子を設け、これら支持素子に前記中空歯車を接触させたことを特徴とする。
【発明の効果】
【０００８】
本発明によれば、簡単な構成により、中空歯車を介して伝動歯車群のとくに正確な心決めを行うことができる。支持素子は、変速装置ハウジングに一体形成することができる。この場合、必要に応じて、支持素子の製造公差を簡単な後処理によって修正し、極めて精密な心決めを生ずることができる。
【発明を実施するための最良の形態】
【０００９】
本発明の好適な実施例においては、中空歯車によって支持素子を介して中間遊星歯車段を支持する。この中間遊星歯車段は、２個の他の遊星歯車段間に配置した遊星歯車段とすることができる。このようにして、伝動歯車群の中間領域を支持することができ、このことにより、伝動歯車群の長さ全体にわたり十分な心決めを行うことができる。
【００１０】
好適な実施例においては、支持素子を、変速装置ハウジングの内面から突出するリブとして形成する。支持素子をリブ状に形成することによって、変速装置ハウジングと中空歯車との間の接触面を小さくすることができ、これにより、中空歯車の変速装置ハウジング内における摩擦の少ない摺動を保証することができる。このようにして、遊星歯車変速装置の快適な切り替えが可能となる。
【００１１】
好適には、少なくとも３個のリブを設ける。この構成によれば、中空歯車及び伝動歯車群の安定した心決めを保証することができる。
【００１２】
好適には、少なくとも３個のリブを、等角度間隔に周方向に配列する。この構成によれば、変速装置ハウジングの製造を簡単にすることができる。
【００１３】
次に、図面につき本発明の好適な実施例を説明する。
【実施例１】
【００１４】
図１には、ドリル装置またはねじ回し装置の形式の手工具装置における変速機構領域２を示す。この変速機構領域には、変速装置ハウジング４内で遊星歯車式変速装置７の伝動歯車群６を設け、この伝動歯車群６は、駆動部８をツールスピンドルの形式の末端出力部１０に連結する。伝動歯車群６には中間遊星歯車段１２を設け、この中間遊星歯車段１２を他の２個の遊星歯車段１４間に配置する。
【００１５】
中間遊星歯車段１２は中空歯車１６内に保持し、この中空歯車１６には内歯１８を設ける。中間遊星歯車段１２は複数個の遊星歯車２０を有し、これら遊星歯車２０が中空歯車１６の内歯１８に噛合し、この中空歯車１６は、図示のように噛合部２２によって変速装置ハウジング４に対して固定される。中空歯車１６が図示の位置にあるときは、遊星歯車式変速装置７は第１切り替え段の状態をとる。
【００１６】
遊星歯車式変速装置７を第２切り替え段に切り替えるためにはスライドスイッチ２４を操作し、このスライドスイッチ２４は、破線で示す掛け金２６によって中空歯車１６に機械的に連結する。スライドスイッチ２４を移動することにより、掛け金２６は旋回して中空歯車１６を伝動歯車群６の軸線Ａに平行に駆動部８の方向に移動する。これにより、中空歯車１６は、変速装置ハウジング４に対して破線で示す位置１６′をとり、噛合部２２から離脱して遊星歯車式変速装置７は第２切り替え段の状態となる。
【００１７】
この場合、変速装置ハウジング４に対して中空歯車１６が傾動することなく、また摩擦が少なく容易に移動することができるようにするため、図２に示すように、変速装置ハウジング４の内面２８に４個のリブ状の支持素子３０を設ける。これら支持素子は、軸線Ａの周りに６０゜の等しい角度間隔毎に周方向に配列し、中空歯車１６を変速装置ハウジング４に対して心決めする。
【００１８】
支持素子３０によって、中空歯車１６は、変速装置ハウジング４に対して比較的正確に心決めされた状態に保持される。同時に、中間遊星歯車段１２も変速装置ハウジング４に対して心決めされる。これにより伝動歯車群６がほぼ中心に支持され、手工具装置の状態が切り替わっても軸線方向長さ全体にわたり伝動歯車群６は心決めされ、このことは、とくに、手工具装置の切り替えの際に振動の発生及び伝動歯車部分の磨耗を回避する。
【図面の簡単な説明】
【００１９】
【図１】本発明遊星歯車式変速装置の軸線方向の一部断面とする側面図である。
【図２】図１のII‐II線上の変速装置ハウジングと、このハウジング内に支持した中空歯車を示す断面図である。
【符号の説明】
【００２０】
２  変速機構領域
４  変速装置ハウジング
６  伝動歯車群
７  遊星歯車式変速装置
８  駆動部
１０  末端出力部
１２  中間遊星歯車段
１４  遊星歯車段
１６  中空歯車
１８  内歯
２０  遊星歯車
２２  噛合部
２４  スライドスイッチ
２６  掛け金
２８  内面
３０  支持素子
【図１】
2005254445.tif 000003
【図２】
2005254445.tif 000004